(57)【要約】【課題】  無線通信用半導体集積回路において、電源制御方式により消費電流の削減及び電源立ち上がり特性悪化の防止を実現する。【解決手段】  無線通信用半導体集積回路における、電源制御方式として電源制御回路２４に入力される制御信号により、受信系高周波ブロック２５と受信系音声帯域ブロック２６と、送信系音声帯域ブロック２７と、送信系高周波ブロック２８と、乗算器３と、ノイズ検知器８と、音声信号パワーアンプ１１と、音声信号レベル検知器１９とを、別々に動作，停止させる電源制御方式とし、消費電流削減の実現及び電源立ち上がり特性悪化の防止を実現することができる。【選択図】  図１
2005151113.tif 000002
【特許請求の範囲】
【請求項１】
受信系高周波信号処理のため、ローカル信号を出力するローカル信号発生器と、
前記ローカル信号発生器の出力と受信信号とを入力とし、中間周波数信号を出力する乗算器と、
前記乗算器の出力を入力とし、中間周波数信号のみを取り出す中間周波数バンドパスフィルタと、
前記中間周波数バンドパスフィルタの出力を入力とし、中間周波数信号を増幅する中間周波数増幅器と、
前記中間周波数増幅器の出力を入力とし、中間周波数のレベルを検出する中間周波数検知器と、
前記中間周波数増幅器の出力を入力とし、復調を行う復調器と、
前記復調器の出力を入力とし、復調ノイズのレベルを検出するノイズ検知器を備え、
受信系音声帯域信号処理のため、前記復調器の出力を入力とし、復調出力の増幅を行う受信系音声信号増幅器と、
前記受信系音声信号増幅器の出力を入力とし、受信系音声信号のみを取り出す受信系音声信号バンドパスフィルタと、
前記受信系音声信号バンドパスフィルタの出力と、送信系音声帯域ブロックにあるデータ信号増幅器の出力を入力とし、スピーカの駆動を行う音声信号パワーアンプを備え、
送信系音声帯域信号処理のため、データ信号を増幅する前記データ信号増幅器と、
前記データ信号増幅器の出力を入力とし、データ信号のみを取り出すデータ信号ローパスフィルタと、
送信系音声信号を増幅する送信系音声信号増幅器と、
前記送信系音声信号増幅器の出力を入力とし、送信系音声信号のみを取り出す送信系音声信号バンドパスフィルタと、
前記送信系音声信号増幅器の出力を入力とし、送信系音声信号のレベルを検出する音声信号レベル検知器を備え、
送信系高周波信号処理のため、前記データ信号ローパスフィルタの出力と、前記送信系音声信号バンドパスフィルタの出力とを入力とし、変調を行う変調器と、
前記変調器の出力を入力とし、送信信号を出力する送信信号発生器を備えた無線通信用半導体集積回路であって、
前記ローカル信号発生器、前記中間周波数信号バンドパスフィルタ、前記中間周波数増幅器、前記中間周波数検知器および前記復調器を同一の受信系高周波ブロックとして電源制御し、
前記受信系音声信号増幅器および前記受信系音声信号バンドパスフィルタを同一の受信系音声帯域ブロックとして電源制御し、
前記データ信号増幅器、前記データ信号ローパスフィルタ、前記送信系音声信号増幅器および前記送信系音声信号バンドパスフィルタを同一の送信系音声帯域ブロックとして電源制御し、
前記変調器および前記送信信号発生器を同一の送信系高周波ブロックとして電源制御し、
前記乗算器、前記ノイズ検知器、前記音声信号パワーアンプおよび前記音声信号レベル検知器を個別に電源制御して、
動作，停止させる電源制御回路を備えたことを特徴とする無線通信用半導体集積回路。
【請求項２】
受信系高周波信号処理のため、ローカル信号を出力するローカル信号発生器と、
前記ローカル信号発生器の出力と受信信号とを入力とし、中間周波数信号を出力する乗算器と、
前記乗算器の出力を入力とし、中間周波数信号のみを取り出す中間周波数バンドパスフィルタと、
前記中間周波数バンドパスフィルタの出力を入力とし、中間周波数信号を増幅する中間周波数増幅器と、
前記中間周波数増幅器の出力を入力とし、中間周波数のレベルを検出する中間周波数検知器と、
前記中間周波数増幅器の出力を入力とし、復調を行う復調器と、
前記復調器の出力を入力とし、復調ノイズのレベルを検出するノイズ検知器を備え、
受信系音声帯域信号処理のため、前記復調器の出力を入力とし、復調出力の増幅を行う受信系音声信号増幅器と、
前記受信系音声信号増幅器の出力を入力とし、受信系音声信号のみを取り出す受信系音声信号バンドパスフィルタと、
前記受信系音声信号バンドパスフィルタの出力と、送信系音声帯域ブロックにあるデータ信号増幅器の出力を入力とし、スピーカの駆動を行う音声信号パワーアンプを備え、
送信系音声帯域信号処理のため、データ信号を増幅する前記データ信号増幅器と、
前記データ信号増幅器の出力を入力とし、データ信号のみを取り出すデータ信号ローパスフィルタと、
送信系音声信号を増幅する送信系音声信号増幅器と、
前記送信系音声信号増幅器の出力を入力とし、送信系音声信号のみを取り出す送信系音声信号バンドパスフィルタと、
前記送信系音声信号増幅器の出力を入力とし、送信系音声信号のレベルを検出する音声信号レベル検知器を備え、
送信系高周波信号処理のため、前記データ信号ローパスフィルタの出力と、前記送信系音声信号バンドパスフィルタの出力とを入力とし、変調を行う変調器と、
前記変調器の出力を入力とし、送信信号を出力する送信信号発生器を備えた無線通信用半導体集積回路であって、
前記ローカル信号発生器、前記乗算器、前記中間周波数信号バンドパスフィルタ、前記中間周波数増幅器、前記中間周波数検知器、前記復調器および前記ノイズ検知器を同一の受信系高周波ブロックとして電源制御し、
前記受信系音声信号増幅器および前記受信系音声信号バンドパスフィルタを同一の受信系音声帯域ブロックとして電源制御し、
前記データ信号増幅器、前記データ信号ローパスフィルタ、前記送信系音声信号増幅器、前記送信系音声信号バンドパスフィルタおよび前記音声信号レベル検知器を同一の送信系音声帯域ブロックとして電源制御し、
前記変調器および前記送信信号発生器を同一の送信系高周波ブロックとして電源制御し、
前記音声信号パワーアンプを個別に電源制御して、
動作，停止させる電源制御回路を備えたことを特徴とする無線通信用半導体集積回路。
【請求項３】
受信系高周波信号処理のため、ローカル信号を出力するローカル信号発生器と、
前記ローカル信号発生器の出力と受信信号とを入力とし、中間周波数信号を出力する乗算器と、
前記乗算器の出力を入力とし、中間周波数信号のみを取り出す中間周波数バンドパスフィルタと、
前記中間周波数バンドパスフィルタの出力を入力とし、中間周波数信号を増幅する中間周波数増幅器と、
前記中間周波数増幅器の出力を入力とし、中間周波数のレベルを検出する中間周波数検知器と、
前記中間周波数増幅器の出力を入力とし、復調を行う復調器と、
前記復調器の出力を入力とし、復調ノイズのレベルを検出するノイズ検知器を備え、
受信系音声帯域信号処理のため、前記復調器の出力を入力とし、復調出力の増幅を行う受信系音声信号増幅器と、
前記受信系音声信号増幅器の出力を入力とし、受信系音声信号のみを取り出す受信系音声信号バンドパスフィルタと、
前記受信系音声信号バンドパスフィルタの出力と、送信系音声帯域ブロックにあるデータ信号増幅器の出力を入力とし、スピーカの駆動を行う音声信号パワーアンプを備え、
送信系音声帯域信号処理のため、データ信号を増幅する前記データ信号増幅器と、
前記データ信号増幅器の出力を入力とし、データ信号のみを取り出すデータ信号ローパスフィルタと、
送信系音声信号を増幅する送信系音声信号増幅器と、
前記送信系音声信号増幅器の出力を入力とし、送信系音声信号のみを取り出す送信系音声信号バンドパスフィルタと、
前記送信系音声信号増幅器の出力を入力とし、送信系音声信号のレベルを検出する音声信号レベル検知器を備え、
送信系高周波信号処理のため、前記データ信号ローパスフィルタの出力と、前記送信系音声信号バンドパスフィルタの出力とを入力とし、変調を行う変調器と、
前記変調器の出力を入力とし、送信信号を出力する送信信号発生器を備えた無線通信用半導体集積回路であって、
前記ローカル信号発生器、前記乗算器、前記中間周波数信号バンドパスフィルタ、前記中間周波数増幅器、前記中間周波数検知器、前記復調器および前記ノイズ検知器を同一の受信系高周波ブロックとして電源制御し、
前記受信系音声信号増幅器、前記受信系音声信号バンドパスフィルタおよび前記音声信号パワーアンプを同一の受信系音声帯域ブロックとして電源制御し、
前記データ信号増幅器、前記データ信号ローパスフィルタ、前記送信系音声信号増幅器および前記送信系音声信号バンドパスフィルタを同一の送信系音声帯域ブロックとして電源制御し、
前記変調器および前記送信信号発生器を同一の送信系高周波ブロックとして電源制御し、
前記音声信号レベル検知器を個別に電源制御して、
動作，停止させる電源制御回路を備えたことを特徴とする無線通信用半導体集積回路。
【請求項４】
受信系高周波信号処理のため、ローカル信号を出力するローカル信号発生器と、前記ローカル信号発生器の出力と受信信号とを入力とし、中間周波数信号を出力する乗算器と、
前記乗算器の出力を入力とし、中間周波数信号のみを取り出す中間周波数バンドパスフィルタと、
前記中間周波数バンドパスフィルタの出力を入力とし、中間周波数信号を増幅する中間周波数増幅器と、
前記中間周波数増幅器の出力を入力とし、中間周波数のレベルを検出する中間周波数検知器と、
前記中間周波数増幅器の出力を入力とし、復調を行う復調器と、
前記復調器の出力を入力とし、復調ノイズのレベルを検出するノイズ検知器を備え、
受信系音声帯域信号処理のため、前記復調器の出力を入力とし、復調出力の増幅を行う受信系音声信号増幅器と、
前記受信系音声信号増幅器の出力を入力とし、受信系音声信号のみを取り出す受信系音声信号バンドパスフィルタと、
前記受信系音声信号バンドパスフィルタの出力と、送信系音声帯域ブロックにあるデータ信号増幅器の出力を入力とし、スピーカの駆動を行う音声信号パワーアンプを備え、
送信系音声帯域信号処理のため、データ信号を増幅する前記データ信号増幅器と、
前記データ信号増幅器の出力を入力とし、データ信号のみを取り出すデータ信号ローパスフィルタと、
送信系音声信号を増幅する送信系音声信号増幅器と、
前記送信系音声信号増幅器の出力を入力とし、送信系音声信号のみを取り出す送信系音声信号バンドパスフィルタと、
前記送信系音声信号増幅器の出力を入力とし、送信系音声信号のレベルを検出する音声信号レベル検知器を備え、
送信系高周波信号処理のため、前記データ信号ローパスフィルタの出力と、前記送信系音声信号バンドパスフィルタの出力とを入力とし、変調を行う変調器と、
前記変調器の出力を入力とし、送信信号を出力する送信信号発生器を備えた無線通信用半導体集積回路であって、
前記ローカル信号発生器、前記乗算器、前記中間周波数信号バンドパスフィルタ、前記中間周波数増幅器、前記中間周波数検知器および前記復調器を同一の受信系高周波ブロックとして電源制御し、
前記受信系音声信号増幅器、前記受信系音声信号バンドパスフィルタおよび前記音声信号パワーアンプを同一の受信系音声帯域ブロックとして電源制御し、
前記データ信号増幅器、前記データ信号ローパスフィルタ、前記送信系音声信号増幅器、前記送信系音声信号バンドパスフィルタおよび前記音声信号レベル検知器を同一の送信系音声帯域ブロックとして電源制御し、
前記変調器および前記送信信号発生器を同一の送信系高周波ブロックとして電源制御し、
前記ノイズ検知器を個別に電源制御して、
動作，停止させる電源制御回路を備えたことを特徴とする無線通信用半導体集積回路。
【請求項５】
受信系高周波信号処理のため、ローカル信号を出力するローカル信号発生器と、
前記ローカル信号発生器の出力と受信信号とを入力とし、中間周波数信号を出力する乗算器と、
前記乗算器の出力を入力とし、中間周波数信号のみを取り出す中間周波数バンドパスフィルタと、
前記中間周波数バンドパスフィルタの出力を入力とし、中間周波数信号を増幅する中間周波数増幅器と、
前記中間周波数増幅器の出力を入力とし、中間周波数のレベルを検出する中間周波数検知器と、
前記中間周波数増幅器の出力を入力とし、復調を行う復調器と、
前記復調器の出力を入力とし、復調ノイズのレベルを検出するノイズ検知器を備え、
受信系音声帯域信号処理のため、前記復調器の出力を入力とし、復調出力の増幅を行う受信系音声信号増幅器と、
前記受信系音声信号増幅器の出力を入力とし、受信系音声信号のみを取り出す受信系音声信号バンドパスフィルタと
前記受信系音声信号バンドパスフィルタの出力と、送信系音声帯域ブロックにあるデータ信号増幅器の出力を入力とし、スピーカの駆動を行う音声信号パワーアンプを備え、
送信系音声帯域信号処理のため、データ信号を増幅する前記データ信号増幅器と、
前記データ信号増幅器の出力を入力とし、データ信号のみを取り出すデータ信号ローパスフィルタと、
送信系音声信号を増幅する送信系音声信号増幅器と、
前記送信系音声信号増幅器の出力を入力とし、送信系音声信号のみを取り出す送信系音声信号バンドパスフィルタと、
前記送信系音声信号増幅器の出力を入力とし、送信系音声信号のレベルを検出する音声信号レベル検知器を備え、
送信系高周波信号処理のため、前記データ信号ローパスフィルタの出力と、前記送信系音声信号バンドパスフィルタの出力とを入力とし、変調を行う変調器と、
変調器の出力を入力とし、送信信号を出力する送信信号発生器を備えた無線通信用半導体集積回路であって、
前記ローカル信号発生器、前記中間周波数信号バンドパスフィルタ、前記中間周波数増幅器、前記中間周波数検知器、前記復調器および前記ノイズ検知器を同一の受信系高周波ブロックとして電源制御し、
前記受信系音声信号増幅器、前記受信系音声信号バンドパスフィルタおよび前記音声信号パワーアンプを同一の受信系音声帯域ブロックとして電源制御し、
前記データ信号増幅器、前記データ信号ローパスフィルタ、前記送信系音声信号増幅器、前記送信系音声信号バンドパスフィルタおよび前記音声信号レベル検知器を同一の送信系音声帯域ブロックとして電源制御し、
前記変調器および前記送信信号発生器を同一の送信系高周波ブロックとして電源制御し、
前記乗算器を個別に電源制御して、
動作，停止させる電源制御回路を備えたことを特徴とする無線通信用半導体集積回路。
【発明の詳細な説明】
【技術分野】
【０００１】
本発明は、半導体集積回路において、複数回路を同一機能ブロックとしてのみならず個別回路としても動作，停止させる電源制御方式を備えた無線通信用半導体集積回路に関するものである。
【背景技術】
【０００２】
従来の半導体集積回路では、消費電流の削減のみを目的とし、単一回路を個別に電源制御することなく、機能ブロックごとの動作，停止を行う電源制御方式を有していた。（例えば、特許文献１参照。）。
【０００３】
図７は従来の通信用半導体集積回路を示すブロック図であり、１は受信信号入力端子、２はローカル信号発生器、３は乗算器、４は中間周波数信号バンドパスフィルタ、５は中間周波数増幅器、６は中間周波数検知器、７は復調器、８はノイズ検知器、９は受信系音声信号増幅器、１０は受信系音声信号バンドパスフィルタ、１１は音声信号パワーアンプ、１２は音声信号出力端子、１３はデータ信号入力端子、１４はデータ信号増幅器、１５はデータ信号ローパスフィルタ、１６は音声信号入力端子、１７は送信系音声信号増幅器、１８は送信系音声信号バンドパスフィルタ、１９は音声信号レベル検知器、２０は変調器、２１は送信信号発生器、２２は送信出力端子、２３は電源制御信号入力端子、２４は電源制御回路、２５は受信系高周波ブロック、２６は受信系音声帯域ブロック、２７は送信系音声帯域ブロック、２８は送信系高周波ブロックである。
【０００４】
受信系高周波信号処理のため、ローカル信号を出力するローカル信号発生器２と、このローカル信号発生器２の出力と、受信信号入力端子１とを入力とし、中間周波数信号を出力する乗算器３と、この乗算器３の出力を入力とし、中間周波数信号のみを取り出す中間周波数バンドパスフィルタ４と、この中間周波数バンドパスフィルタ４の出力を入力とし、中間周波数信号を増幅する中間周波数増幅器５と、この中間周波数増幅器５の出力を入力とし、中間周波数のレベルを検出する中間周波数検知器６と、この中間周波数増幅器５の出力を入力とし、復調を行う復調器７と、この復調器７の出力を入力とし、復調ノイズのレベルを検出するノイズ検知器８を備えている。
【０００５】
また、受信系音声帯域信号処理のため、復調器７の出力を入力とし復調出力の増幅を行う受信系音声信号増幅器９と、この受信系音声信号増幅器９の出力を入力とし、受信系音声信号のみを取り出す受信系音声信号バンドパスフィルタ１０と、この受信系音声信号バンドパスフィルタ１０の出力と、送信系音声帯域ブロックにあるデータ信号増幅器１４の出力を入力としスピーカの駆動を行う音声信号パワーアンプ１１と、この音声信号パワーアンプ１１の出力である音声信号出力端子１２を備えている。
【０００６】
また、送信系音声帯域信号処理のため、データ信号入力端子１３より入力されるデータ信号を増幅するデータ信号増幅器１４と、このデータ信号増幅器１４の出力を入力としデータ信号のみを取り出すデータ信号ローパスフィルタ１５と、音声信号入力端子１６から入力される送信系音声信号を増幅する送信系音声信号増幅器１７と、この送信系音声信号増幅器１７の出力を入力とし送信系音声信号のみを取り出す送信系音声信号バンドパスフィルタ１８と、この送信系音声信号増幅器１７の出力を入力とし送信系音声信号のレベルを検出する音声信号レベル検知器１９を備えている。
【０００７】
また、送信系高周波信号処理のため、データ信号ローパスフィルタ１５の出力と、送信系音声信号バンドパスフィルタ１８の出力とを入力とし変調を行う変調器２０と、この変調器２０の出力を入力とし送信信号を発生する送信信号発生器２１と、この送信信号発生器２１の出力である送信出力端子２２を備えている。
【０００８】
さらに前述の機能を動作，停止させる電源制御信号を入力する電源制御信号入力端子２３を入力とし、電源制御を行う電源制御回路２４を備えている。
【０００９】
（表１）は従来の無線通信用半導体集積回路の電源制御方式を示すものである。
【００１０】
【表１】
2005151113.tif 000003
（表１）に示すように、ローカル信号発生器２、乗算器３、中間周波数信号バンドパスフィルタ４、中間周波数増幅器５、中間周波数検知器６、復調器７、ノイズ検知器８を同一の受信系高周波ブロック２５として電源制御し、受信系音声信号増幅器９、受信系音声信号バンドパスフィルタ１０、音声信号パワーアンプ１１を同一の受信系音声帯域ブロック２６として電源制御し、データ信号増幅器１４、データ信号ローパスフィルタ１５、送信系音声信号増幅器１７、送信系音声信号バンドパスフィルタ１８、音声信号レベル検知器１９を同一の送信系音声帯域ブロック２７として電源制御し、変調器２０、送信信号発生器２１を同一の送信系高周波ブロック２８として電源制御する電源制御方式を備え、従来の無線通信用半導体集積回路を構成していた。
【００１１】
以上のように構成される、従来の無線通信用半導体集積回路の電源制御動作を説明する。
【００１２】
電源制御信号入力端子２３から電源制御回路２４に入力される制御信号により、受信系高周波ブロック２５と、受信系音声帯域ブロック２６と、送信系音声帯域ブロック２７と、送信系高周波ブロック２８とを別々に動作，停止させ、ブロックごとの電源制御が可能となっている。
【特許文献１】特開昭６１−１３８２７号公報
【特許文献２】特開平７−１３１４０４号公報
【発明の開示】
【発明が解決しようとする課題】
【００１３】
しかしながら、上記従来の電源制御方式を有する構成では、単一回路を個別に電源制御することができず、複数回路の集合として、機能ブロックごとの動作，停止を行うこととなり、電源制御により使用していない機能を停止させ、消費電流の削減を行う妨げになっていた。
【００１４】
音声信号パワーアンプ１１については、送信系データ信号を、スピーカに出力する場合、音声信号パワーアンプ１１のみの動作が必要であるにも関わらず、受信系音声帯域ブロックとして動作させる必要があり、無駄な消費電流が必要であった。
【００１５】
音声信号レベル検知器１９については、上記従来の電源制御方式を有する構成の無線通信用半導体集積回路を用いて、音声信号レベル検知器１９を使用しない仕様の無線通信装置を構成する場合でも、送信系音声帯域ブロックとして、同一制御となり、無駄な消費電流が必要であった。
【００１６】
ノイズ検知器８については、中間周波数検知器６と共に、受信信号のレベルを検知する目的で使用されるが、受信信号のレベルを検知する順番として、受信信号入力端子１に近い、中間周波数検知器６で検知できた場合に限り、ノイズ検知器８を動作させる方が、消費電流が削減できるが、受信系高周波ブロックとして、同一制御されるため、無駄な消費電流が必要であった。
【００１７】
また、個別回路の動作，停止に伴う負荷変動が、同一ブロック内で接続される別の回路に影響を与え、電源立ち上がり特性を悪化させる課題があった。
【００１８】
図８は、従来のローカル信号発生器２の出力周波数特性であり、ローカル信号発生器２と、乗算器３の動作開始を、受信系高周波ブロックとして同時に行った場合のローカル信号発生器２が出力するローカル信号の周波数の時間経過を示している。ｔ１は受信系高周波ブロックの動作開始時間であり、ｔ２はローカル信号発生器２の周波数が安定する時間、Δｔはｔ１とｔ２の差であり、受信系高周波ブロックの動作開始から、ローカル信号発生器２の周波数が安定するまでの時間を示している。ローカル信号発生器２は、乗算器３にローカル信号を供給しているため、ローカル信号発生器２の出力は乗算器３の入力に接続されている。同時に動作を開始した場合、乗算器３の入力インピーダンスが安定する前に、ローカル信号発生器２を動作させることになり、その影響で、ローカル信号発生器２の周波数が安定する時間が長くなる原因になっていた。
【００１９】
本発明は、従来の問題を解決するもので、複数回路を同一機能ブロックとしてのみならず、個別回路としても動作，停止させる電源制御方式を備え、消費電流削減の実現及び電源立ち上がり特性の悪化を防止できる無線通信用半導体集積回路の提供を目的とする。
【課題を解決するための手段】
【００２０】
この目的を達成するために、受信系高周波信号処理のため、ローカル信号を出力するローカル信号発生器と、前記ローカル信号発生器の出力と受信信号とを入力とし、中間周波数信号を出力する乗算器と、前記乗算器の出力を入力とし、中間周波数信号のみを取り出す中間周波数バンドパスフィルタと、前記中間周波数バンドパスフィルタの出力を入力とし、中間周波数信号を増幅する中間周波数増幅器と、前記中間周波数増幅器の出力を入力とし、中間周波数のレベルを検出する中間周波数検知器と、前記中間周波数増幅器の出力を入力とし、復調を行う復調器と、前記復調器の出力を入力とし、復調ノイズのレベルを検出するノイズ検知器を備え、受信系音声帯域信号処理のため、前記復調器の出力を入力とし、復調出力の増幅を行う受信系音声信号増幅器と、前記受信系音声信号増幅器の出力を入力とし、受信系音声信号のみを取り出す受信系音声信号バンドパスフィルタと、前記受信系音声信号バンドパスフィルタの出力と、送信系音声帯域ブロックにあるデータ信号増幅器の出力を入力とし、スピーカの駆動を行う音声信号パワーアンプを備え、送信系音声帯域信号処理のため、データ信号を増幅する前記データ信号増幅器と、前記データ信号増幅器の出力を入力とし、データ信号のみを取り出すデータ信号ローパスフィルタと、送信系音声信号を増幅する送信系音声信号増幅器と、前記送信系音声信号増幅器の出力を入力とし、送信系音声信号のみを取り出す送信系音声信号バンドパスフィルタと、前記送信系音声信号増幅器の出力を入力とし、送信系音声信号のレベルを検出する音声信号レベル検知器を備え、送信系高周波信号処理のため、前記データ信号ローパスフィルタの出力と、前記送信系音声信号バンドパスフィルタの出力とを入力とし、変調を行う変調器と、前記変調器の出力を入力とし、送信信号を出力する送信信号発生器を備えた無線通信用半導体集積回路であって、本発明の無線通信用半導体集積回路は、前記ローカル信号発生器、前記中間周波数信号バンドパスフィルタ、前記中間周波数増幅器、前記中間周波数検知器および前記復調器を同一の受信系高周波ブロックとして電源制御し、前記受信系音声信号増幅器および前記受信系音声信号バンドパスフィルタを同一の受信系音声帯域ブロックとして電源制御し、前記データ信号増幅器、前記データ信号ローパスフィルタ、前記送信系音声信号増幅器および前記送信系音声信号バンドパスフィルタを同一の送信系音声帯域ブロックとして電源制御し、前記変調器および前記送信信号発生器を同一の送信系高周波ブロックとして電源制御し、前記乗算器、前記ノイズ検知器、前記音声信号パワーアンプおよび前記音声信号レベル検知器を個別に電源制御して、動作，停止させる電源制御回路を備えたことを特徴とする。
【００２１】
また本発明は、前記ローカル信号発生器、前記乗算器、前記中間周波数信号バンドパスフィルタ、前記中間周波数増幅器、前記中間周波数検知器、前記復調器および前記ノイズ検知器を同一の受信系高周波ブロックとして電源制御し、前記受信系音声信号増幅器および前記受信系音声信号バンドパスフィルタを同一の受信系音声帯域ブロックとして電源制御し、前記データ信号増幅器、前記データ信号ローパスフィルタ、前記送信系音声信号増幅器、前記送信系音声信号バンドパスフィルタおよび前記音声信号レベル検知器を同一の送信系音声帯域ブロックとして電源制御し、前記変調器および前記送信信号発生器を同一の送信系高周波ブロックとして電源制御し、前記音声信号パワーアンプを個別に電源制御して、動作，停止させる電源制御回路を備えたことを特徴とする。
【００２２】
また本発明は、前記ローカル信号発生器、前記乗算器、前記中間周波数信号バンドパスフィルタ、前記中間周波数増幅器、前記中間周波数検知器、前記復調器および前記ノイズ検知器を同一の受信系高周波ブロックとして電源制御し、前記受信系音声信号増幅器、前記受信系音声信号バンドパスフィルタおよび前記音声信号パワーアンプを同一の受信系音声帯域ブロックとして電源制御し、前記データ信号増幅器、前記データ信号ローパスフィルタ、前記送信系音声信号増幅器および前記送信系音声信号バンドパスフィルタを同一の送信系音声帯域ブロックとして電源制御し、前記変調器および前記送信信号発生器を同一の送信系高周波ブロックとして電源制御し、前記音声信号レベル検知器を個別に電源制御して、動作，停止させる電源制御回路を備えたことを特徴とする。
【００２３】
また本発明は、前記ローカル信号発生器、前記乗算器、前記中間周波数信号バンドパスフィルタ、前記中間周波数増幅器、前記中間周波数検知器および前記復調器を同一の受信系高周波ブロックとして電源制御し、前記受信系音声信号増幅器、前記受信系音声信号バンドパスフィルタおよび前記音声信号パワーアンプを同一の受信系音声帯域ブロックとして電源制御し、前記データ信号増幅器、前記データ信号ローパスフィルタ、前記送信系音声信号増幅器、前記送信系音声信号バンドパスフィルタおよび前記音声信号レベル検知器を同一の送信系音声帯域ブロックとして電源制御し、前記変調器および前記送信信号発生器を同一の送信系高周波ブロックとして電源制御し、前記ノイズ検知器を個別に電源制御して、動作，停止させる電源制御回路を備えたことを特徴とする。
【００２４】
また本発明は、前記ローカル信号発生器、前記中間周波数信号バンドパスフィルタ、前記中間周波数増幅器、前記中間周波数検知器、前記復調器および前記ノイズ検知器を同一の受信系高周波ブロックとして電源制御し、前記受信系音声信号増幅器、前記受信系音声信号バンドパスフィルタおよび前記音声信号パワーアンプを同一の受信系音声帯域ブロックとして電源制御し、前記データ信号増幅器、前記データ信号ローパスフィルタ、前記送信系音声信号増幅器、前記送信系音声信号バンドパスフィルタおよび前記音声信号レベル検知器を同一の送信系音声帯域ブロックとして電源制御し、前記変調器および前記送信信号発生器を同一の送信系高周波ブロックとして電源制御し、前記乗算器を個別に電源制御して、動作，停止させる電源制御回路を備えたことを特徴とする。
【発明の効果】
【００２５】
以上のように、本発明の無線通信用半導体集積回路によれば、従来、単一回路を個別に電源制御することができず、機能ブロックごとの動作，停止を行う方式であった電源制御を、ブロックとしてのみならず、個別回路としても動作，停止させる電源制御方式とし、消費電流の削減を実現することができる。
【００２６】
音声信号パワーアンプについては、送信系データ信号を、スピーカに出力する場合、音声信号パワーアンプのみを動作させることにより、従来受信系音声帯域ブロックとして動作させていたときの無駄な消費電流の削減を実現することができる。
【００２７】
音声信号レベル検知器については、本発明の無線通信用半導体集積回路を用いて、音声信号レベル検知器を使用しない仕様の無線通信装置を構成する場合は、個別制御として、音声信号レベル検知器を常に停止させることで、従来送信系音声帯域ブロックとして動作させていたときの無駄な消費電流の削減を実現することができる。
【００２８】
ノイズ検知器については、中間周波数検知器と共に、受信信号のレベルを検知する目的で使用されるが、受信信号のレベルを検知する順番として、受信信号入力端子に近い、中間周波数検知器で検知できた場合に限り、ノイズ検知器を動作させることが可能となり、従来受信系高周波ブロックとして動作させていたときの無駄な消費電流の削減を実現することができる。
【００２９】
また、個別回路の動作，停止に伴う負荷変動が、同一ブロック内で接続される別の回路に影響を与え、電源立ち上がり特性を悪化させる課題については、動作を開始させる順番として、負荷変動の発生する回路を先に立ち上げ、負荷変動の影響を受ける回路を後で立ち上げることにより、電源立ち上がり特性悪化の防止を実現することができる。
【発明を実施するための最良の形態】
【００３０】
以下本発明の実施の形態について、図面を参照しながら説明する。
【００３１】
（実施の形態１）
図１は本発明の実施の形態１における無線通信用半導体集積回路のブロック図である。図１において、図７と同じ構成要素については、同じ符号を用い、説明を省略する。
【００３２】
図１において、実施の形態１は、図７における従来の無線通信用半導体集積回路の構成に対して、電源制御方式を変更したものであるため、電源制御方式について説明する。
【００３３】
（表２）は、実施の形態１の電源制御方式を示すものである。
【００３４】
【表２】
2005151113.tif 000004
電源制御回路２４は、ローカル信号発生器２、中間周波数信号バンドパスフィルタ４、中間周波数増幅器５、中間周波数検知器６および復調器７を同一の受信系高周波ブロック２５として電源制御し、受信系音声信号増幅器９および受信系音声信号バンドパスフィルタ１０を同一の受信系音声帯域ブロック２６として電源制御し、データ信号増幅器１４、データ信号ローパスフィルタ１５、送信系音声信号増幅器１７および送信系音声信号バンドパスフィルタ１８を同一の送信系音声帯域ブロック２７として電源制御し、変調器２０および送信信号発生器２１を同一の送信系高周波ブロック２８として電源制御し、乗算器３、ノイズ検知器８、音声信号パワーアンプ１１および音声信号レベル検知器１９を個別に電源制御するものである。
【００３５】
以上のように構成される、実施の形態１の無線通信用半導体集積回路の電源制御動作を説明する。
【００３６】
電源制御信号入力端子２３から電源制御回路２４に入力される制御信号に基づいて電源制御回路２４によって、受信系高周波ブロック２５と、受信系音声帯域ブロック２６と、送信系音声帯域ブロック２７と、送信系高周波ブロック２８と、乗算器３と、ノイズ検知器８と、音声信号パワーアンプ１１と、音声信号レベル検知器１９とを、別々に動作，停止させる電源制御が行われる。
【００３７】
図６は、ローカル信号発生器２を内包する受信系高周波ブロック２５と乗算器３の動作開始を個別に制御した場合のローカル信号発生器２が出力するローカル信号の周波数の時間経過を示すものであり、ｔ０は乗算器３の動作開始時間、ｔ１は受信系高周波ブロックの動作開始時間、ｔ２はローカル信号発生器２の周波数が安定する時間、Δｔはｔ１とｔ２の差であり、受信系高周波ブロックの動作開始からローカル信号発生器２の周波数が安定するまでの時間を示している。
【００３８】
ローカル信号発生器２は、乗算器３にローカル信号を供給しているため、ローカル信号発生器２の出力は、乗算器３の入力に接続されている。図６では、乗算器３を先に立ち上げ、入力インピーダンスが安定した後で、ローカル信号発生器２を動作させることにより、ローカル信号発生器２の周波数が安定する時間を短くし、電源立ち上がり特性悪化の防止を実現することができる。
【００３９】
このような構成によれば、従来、単一回路を個別に電源制御することができず、機能ブロックごとの動作，停止を行う方式であった電源制御を、ブロックとしてのみならず、個別回路としても動作，停止させる電源制御方式とし、乗算器３と、ノイズ検知器８と、音声信号パワーアンプ１１と、音声信号レベル検知器１９とを個別制御できることにより、消費電流削減の実現及び電源立ち上がり特性悪化の防止を実現することができる。
【００４０】
（実施の形態２）
図２は本発明の実施の形態２における無線通信用半導体集積回路のブロック図である。なお、図２において、図７と同じ構成要素については、同じ符号を用いて説明を省略する。
【００４１】
図２において、実施の形態２は、図７における、従来の無線通信用半導体集積回路の構成に対して、電源制御方式を変更したものであるため、電源制御方式について説明する。
【００４２】
（表３）は実施の形態２の電源制御方式を示したものである。
【００４３】
【表３】
2005151113.tif 000005
電源制御回路２４は、ローカル信号発生器２、乗算器３、中間周波数信号バンドパスフィルタ４、中間周波数増幅器５、中間周波数検知器６、復調器７およびノイズ検知器８を同一の受信系高周波ブロック２５として電源制御し、受信系音声信号増幅器９および受信系音声信号バンドパスフィルタ１０を同一の受信系音声帯域ブロック２６として電源制御し、データ信号増幅器１４、データ信号ローパスフィルタ１５、送信系音声信号増幅器１７、送信系音声信号バンドパスフィルタ１８および音声信号レベル検知器１９を同一の前記、送信系音声帯域ブロック２７として電源制御し、変調器２０および送信信号発生器２１を同一の送信系高周波ブロック２８として電源制御し、音声信号パワーアンプ１１を個別に電源制御することを特長とした電源制御するものである。
【００４４】
以上のように構成される、無線通信用半導体集積回路の電源制御動作を説明する。
【００４５】
電源制御信号入力端子２３から電源制御回路２４に入力される制御信号に基づいて電源制御回路２４によって、受信系高周波ブロック２５と、受信系音声帯域ブロック２６と、送信系音声帯域ブロック２７と、送信系高周波ブロック２８と、音声信号パワーアンプ１１とを、別々に動作，停止させる電源制御が可能となっている。
【００４６】
このような構成によれば、従来、単一回路を個別に電源制御することができず、機能ブロックごとの動作，停止を行う方式であった電源制御を、ブロックとしてのみならず、個別回路としても動作，停止させる電源制御方式とし、音声信号パワーアンプ１１を個別に制御できることにより、消費電流削減を実現することができる。
【００４７】
（実施の形態３）
図３は本発明の実施の形態３における無線通信用半導体集積回路のブロック図である。図３において、図７と同じ構成要素については、同じ符号を用いて説明を省略する。
【００４８】
図３に示す実施の形態３は、図７における従来の無線通信用半導体集積回路の構成に対して、電源制御方式を変更したものであるため、電源制御方式について説明する。
【００４９】
（表４）は実施の形態３の電源制御方式を示したものである。
【００５０】
【表４】
2005151113.tif 000006
電源制御回路２４は、ローカル信号発生器２、乗算器３、中間周波数信号バンドパスフィルタ４、中間周波数増幅器５、中間周波数検知器６、復調器７およびノイズ検知器８を同一の受信系高周波ブロック２５として電源制御し、受信系音声信号増幅器９、受信系音声信号バンドパスフィルタ１０および音声信号パワーアンプ１１を同一の受信系音声帯域ブロック２６として電源制御し、データ信号増幅器１４、データ信号ローパスフィルタ１５、送信系音声信号増幅器１７および送信系音声信号バンドパスフィルタ１８を同一の送信系音声帯域ブロック２７として電源制御し、変調器２０および送信信号発生器２１を同一の送信系高周波ブロック２８として電源制御し、音声信号レベル検知器１９を個別に電源制御するものである。
【００５１】
以上のように構成される、無線通信用半導体集積回路の電源制御動作を説明する。
【００５２】
電源制御信号入力端子２３から電源制御回路２４に入力される制御信号に基づいて電源制御回路２４によって、受信系高周波ブロック２５と、受信系音声帯域ブロック２６と、送信系音声帯域ブロック２７と、送信系高周波ブロック２８と、音声信号レベル検知器１９とを、別々に動作，停止させる電源制御が行われる。
【００５３】
このような構成によれば、従来、単一回路を個別に電源制御することができず、機能ブロックごとの動作，停止を行う方式であった電源制御を、ブロックとしてのみならず個別回路としても動作，停止させる電源制御方式とし、音声信号レベル検知器１９を個別制御できることにより、消費電流削減を実現することができる。
【００５４】
（実施の形態４）
図４は本発明の実施の形態４における無線通信用半導体集積回路のブロック図である。図４において、図７と同じ構成要素については、同じ符号を用いて説明を省略する。
【００５５】
図４に示す実施の形態４は、図７における従来の無線通信用半導体集積回路の構成に対して、電源制御方式を変更したものであるため、電源制御方式について説明する。
【００５６】
（表５）は実施の形態４の電源制御方式を示したものである。
【００５７】
【表５】
2005151113.tif 000007
電源制御回路２４は、ローカル信号発生器２、乗算器３、中間周波数信号バンドパスフィルタ４、中間周波数増幅器５、中間周波数検知器６および復調器７を同一の受信系高周波ブロック２５として電源制御し、受信系音声信号増幅器９、受信系音声信号バンドパスフィルタ１０および音声信号パワーアンプ１１を同一の受信系音声帯域ブロック２６として電源制御し、データ信号増幅器１４、データ信号ローパスフィルタ１５、送信系音声信号増幅器１７、送信系音声信号バンドパスフィルタ１８および音声信号レベル検知器１９を同一の送信系音声帯域ブロック２７として電源制御し、変調器２０および送信信号発生器２１を同一の送信系高周波ブロック２８として電源制御し、ノイズ検知器８を個別に電源制御するものである。
【００５８】
以上のように構成される、無線通信用半導体集積回路の電源制御動作を説明する。
【００５９】
電源制御信号入力端子２３から電源制御回路２４に入力される制御信号に基づいて電源制御回路２４によって、受信系高周波ブロック２５と、受信系音声帯域ブロック２６と、送信系音声帯域ブロック２７と、送信系高周波ブロック２８と、ノイズ検知器８とを、別々に動作，停止させる電源制御が行われる。
【００６０】
このような構成によれば、従来、単一回路を個別に電源制御することができず、機能ブロックごとの動作，停止を行う方式であった電源制御を、ブロックとしてのみならず個別回路としても動作，停止させる電源制御方式とし、ノイズ検知器８を個別制御できることにより、消費電流削減を実現することができる。
【００６１】
（実施の形態５）
図５は本発明の実施の形態５における無線通信用半導体集積回路のブロック図である。なお、図５において、図７と同じ構成要素については、同じ符号を用いて説明を省略する。
【００６２】
図５に示す実施の形態５は、図７における、従来の無線通信用半導体集積回路の構成に対して、電源制御方式を変更したものであるため、電源制御方式について説明する。
【００６３】
（表６）は実施の形態５の電源制御方式を示すものである。
【００６４】
【表６】
2005151113.tif 000008
電源制御回路２４は、ローカル信号発生器２、中間周波数信号バンドパスフィルタ４、中間周波数増幅器５、中間周波数検知器６、復調器７およびノイズ検知器８を同一の受信系高周波ブロック２５として電源制御し、受信系音声信号増幅器９、受信系音声信号バンドパスフィルタ１０および音声信号パワーアンプ１１を同一の受信系音声帯域ブロック２６として電源制御し、データ信号増幅器１４、データ信号ローパスフィルタ１５、送信系音声信号増幅器１７、送信系音声信号バンドパスフィルタ１８および音声信号レベル検知器１９を同一の送信系音声帯域ブロック２７として電源制御し、変調器２０および送信信号発生器２１を同一の送信系高周波ブロック２８として電源制御し、乗算器３を個別に電源制御するものである。
【００６５】
以上のように構成される、無線通信用半導体集積回路の電源制御動作を説明する。
【００６６】
電源制御信号入力端子２３から電源制御回路２４に入力される制御信号に基づいて電源制御回路２４によって、受信系高周波ブロック２５と、受信系音声帯域ブロック２６と、送信系音声帯域ブロック２７と、送信系高周波ブロック２８と、乗算器３とを、別々に動作，停止させる電源制御が行われる。
【００６７】
このような構成によれば、従来、単一回路を個別に電源制御することができず、機能ブロックごとの動作，停止を行う方式であった電源制御を、ブロックとしてのみならず個別回路としても動作，停止させる電源制御方式とし、乗算器３を個別制御できることにより、図６を用いて実施の形態１で説明したように、電源立ち上がり特性悪化の防止を実現することができる。
【産業上の利用可能性】
【００６８】
本発明の無線通信用半導体集積回路は、無線通信装置の消費電流の削減、電源立ち上がり特性悪化の防止を実現するものとして有用である。
【図面の簡単な説明】
【００６９】
【図１】本発明の実施の形態１における無線通信用半導体集積回路のブロック図
【図２】本発明の実施の形態２における無線通信用半導体集積回路のブロック図
【図３】本発明の実施の形態３における無線通信用半導体集積回路のブロック図
【図４】本発明の実施の形態４における無線通信用半導体集積回路のブロック図
【図５】本発明の実施の形態５における無線通信用半導体集積回路のブロック図
【図６】本発明の実施の形態１および実施の形態５におけるローカル信号発生器の出力周波数特性を示す図
【図７】従来の無線通信用半導体集積回路のブロック図
【図８】従来のローカル信号発生器の出力周波数特性を示す図
【符号の説明】
【００７０】
１  受信信号入力端子
２  ローカル信号発生器
３  乗算器
４  中間周波数信号バンドパスフィルタ
５  中間周波数増幅器
６  中間周波数検知器
７  復調器
８  ノイズ検知器
９  受信系音声信号増幅器
１０  受信系音声信号バンドパスフィルタ
１１  音声信号パワーアンプ
１２  音声信号出力端子
１３  データ信号入力端子
１４  データ信号増幅器
１５  データ信号ローパスフィルタ
１６  音声信号入力端子
１７  送信系音声信号増幅器
１８  送信系音声信号バンドパスフィルタ
１９  音声信号レベル検知器
２０  変調器
２１  送信信号発生器
２２  送信出力端子
２３  電源制御信号入力端子
２４  電源制御回路
２５  受信系高周波ブロック
２６  受信系音声帯域ブロック
２７  送信系音声帯域ブロック
２８  送信系高周波ブロック
【図１】
2005151113.tif 000009
【図２】
2005151113.tif 000010
【図３】
2005151113.tif 000011
【図４】
2005151113.tif 000012
【図５】
2005151113.tif 000013
【図６】
2005151113.tif 000014
【図７】
2005151113.tif 000015
【図８】
2005151113.tif 000016